(57)【特許請求の範囲】
【請求項１】
移動通信装置がネットワークを介して通信を行うことを可能にするために前記ネットワークと接続されるサブネットを有する複数の移動通信装置対応ルータ装置と、該各移動通信装置対応ルータ装置の前記サブネットを利用して通信を行う移動通信装置とから構成される移動通信システムにおいて、
前記移動通信装置は、
現在位置から目的地への移動に先立ち、目的地情報と、現在位置情報が入力される入力手段と、
入力された前記目的地情報と前記現在位置情報とから、予め登録されている前記サブネットの中から、前記現在位置から前記目的地に至る経路上にあり、ハンドオーバする可能性のある複数の前記サブネットのアドレスを予測する予測手段と、
予測された前記サブネットのアドレスに基づき、これらのアドレスの前記サブネットの移動通信装置対応ルータに、前記移動通信装置とハンドオーバするためのアドレス及び帯域を含むネットワーク資源を予め予約するためのメッセージを送る出力手段と
を備え、
前記予測されたアドレスのサブネットの前記移動通信装置対応ルータ装置は、前記移動通信装置からのメッセージを受信することにより、前記移動通信装置とハンドオーバするためのネットワーク資源を確保する
ことを特徴とする移動通信システム。
【請求項２】
前記予測手段は、各前記サブネットのアドレス及び緯度・経度情報を格納したデータベースを有する
ことを特徴とする請求項１に記載の移動通信システム。
【請求項３】
前記データベースは、更に各前記サブネットの通信方式と各通信方式が必要とする電波品質とを格納し、該データベースを参照することによりハンドオーバの開始のタイミング及び通信方式の切替えを制御する制御手段を備える
ことを特徴とする請求項２に記載の移動通信システム。
【請求項４】
前記制御手段は、少なくとも受信電波の強度が現在の通信方式が必要とする値を下回ったときにハンドオーバを開始する
ことを特徴とする請求項３に記載の移動通信システム。
【請求項５】
前記制御手段は、ノイズのレベルまたは通信の瞬断の回数が所定値を超えたときにハンドオーバを開始する
ことを特徴とする請求項３に記載の移動通信システム。
【請求項６】
移動通信装置対応ルータ装置を備えるサブネットを複数含んで構成されるネットワークを利用して通信を行う移動通信装置及び前記各移動通信装置対応ルータ装置から構成される移動通信システムにおける移動通信装置であって、
現在位置から目的地への移動に先立ち、目的地情報と、現在位置情報が入力される入力手段と、
入力された前記目的地情報と前記現在位置情報とから、予め登録されている前記サブネットの中から、前記現在位置から前記目的地に至る経路上にあり、ハンドオーバする可能性のある複数の前記サブネットのアドレスを予測する予測手段と、
予測された前記サブネットのアドレスに基づき、これらのアドレスの前記サブネットの移動通信装置対応ルータに、前記移動通信装置とハンドオーバするためのアドレス及び帯域を含むネットワーク資源を予め予約するためのメッセージを送る出力手段と
を備え、
前記予測されたアドレスのサブネットの前記移動通信装置対応ルータ装置に、前記移動通信装置からのメッセージにより、前記移動通信装置とハンドオーバするためのネットワーク資源を確保させる
ことを特徴とする移動通信装置。
【請求項７】
前記予測手段は、各前記サブネットのアドレス及び緯度・経度情報を格納したデータベースを有することを特徴とする請求項６に記載の移動通信装置。
【請求項８】
前記データベースは、更に各前記サブネットの通信方式と各通信方式が必要とする電波品質とを格納し、該データベースを参照することによりハンドオーバの開始のタイミング及び通信方式の切替えを制御する制御手段を備える
ことを特徴とする請求項７に記載の移動通信装置。
【請求項９】
前記制御手段は、少なくとも受信電波の強度が現在の通信方式が必要とする値を下回ったときにハンドオーバを開始する
ことを特徴とする請求項８に記載の移動通信装置。
【請求項１０】
前記制御手段は、ノイズのレベルまたは通信の瞬断の回数が所定値を超えたときにハンドオーバを開始する
ことを特徴とする請求項８に記載の移動通信装置。
【請求項１１】
移動通信装置がネットワークを介して通信を行うことを可能にするために前記ネットワークと接続されるサブネットを有する複数の移動通信装置対応ルータ装置と、該各移動通信装置対応ルータ装置の前記サブネットを利用して通信を行う移動通信装置とから構成される移動通信システムにおいて、
前記移動通信装置は、
現在位置から目的地への移動に先立ち、目的地情報と、現在位置情報が入力され、ネットワークとの間でメッセージを送受信するネットワーク入出力手段と、
前記移動通信装置対応ルータ装置から経路情報を受け取ると、少なくとも前記現在位置情報及び受信電波の強度に基づいてハンドオーバを開始するタイミングを見計らい、ハンドオーバを開始すべきタイミングと判断した時点で経路情報を資源確保実行部に送って、ハンドオーバの実行を管理するハンドオーバ管理部と、
前記各移動通信装置対応ルータに、前記移動通信装置とハンドオーバするためのアドレス及び帯域を含むネットワーク資源を予め予約するために前記目的地情報と前記現在位置情報を送り、経路情報を受け取ると、アドレス及び帯域を含む資源確保を要求するメッセージを経路情報のリストに含まれる各ルータに送る出力手段と
を備え、
前記移動通信装置対応ルータ装置は、
移動通信装置から、移動通信装置の前記目的地情報と前記現在位置情報が入力され、予測された複数のルータのアドレスを含む経路を、経路情報として出力する移動通信装置側入出力端子と、
受け取った前記目的地情報と及び前記現在位置情報から移動経路を予測し、前記目的地の方向に地理的に隣接する複数の他のルータのアドレスを含むルータのリストを、経路予測情報として移動通信装置に送る経路予測部と、
受け取った前記目的地情報に対応付けて、登録されている地理的に隣接するルータを経路予測部に通知する隣接ルータリスト保持部と
を備えことを特徴とする移動通信システム。
【請求項１２】
前記目的地情報は、少なくとも前記目的地の緯度・経度を示す場所情報であり、
入力された場所情報及び前記現在位置情報を、前記目的地のネットワークアドレスを示す目的地ネットワークアドレス情報及び前記現在地のネットワークアドレスを示す現在位置ネットワークアドレス情報にそれぞれ変換する目的地変換部を備え、
前記経路予測部は、受け取った目的地ネットワークアドレス情報及び現在位置ネットワークアドレス情報から移動経路を予測し、
前記隣接ルータリスト保持部は、登録されている地理的に隣接するルータを目的地ネットワークアドレス情報に対応付ける
ことを特徴とする請求項１１に記載の移動通信システム。
【請求項１３】
前記ネットワークとの間でメッセージを送受信するネットワーク側入出力端子を備え、
前記経路予測部は、前記目的地の方向に地理的に隣接する他のルータが隣接するルータのリストを有する場合には、該隣接ルータに対し、該隣接ルータの前記目的地方向に更に隣接するルータについての情報を送るよう要求する
ことを特徴とする請求項１１又は１２に記載の移動通信システム。
【請求項１４】
前記ネットワークとの間でメッセージを送受信するネットワーク側入出力端子を備え、
前記経路予測部は、前記目的地の方向に地理的に隣接する他のルータが経路を予測する機能を有する場合には、該隣接ルータに対し、該隣接ルータの前記目的地方向に更に隣接するルータについての情報を送るよう要求する
ことを特徴とする請求項１１又は１２に記載の移動通信システム。
【請求項１５】
前記経路予測部は、前記目的地の方向に地理的に隣接する他のルータが隣接するルータのリストを有するか、あるいは、経路を予測する機能を有する場合には、該隣接ルータに対し、該隣接ルータの前記目的地方向に更に隣接するルータについての情報を送るよう要求する処理を繰り返す
ことを特徴とする請求項１１又は１２に記載の移動通信システム。
【請求項１６】
前記移動通信装置対応ルータ装置は、自らの前記サブネットに地理的に隣接する前記サブネットのルータ装置のアドレスのリストを格納したデータベースを有し、複数のルータのアドレスを含むルータのリストを出力する隣接ルータリスト保持部を備え、
前記経路予測部は、前記目的地ネットワークアドレス情報及び現在位置ネットワークアドレス情報により、前記隣接ルータリスト保持部から前記目的地の方向に地理的に隣接する複数の他のルータのアドレスを含むルータのリストを受け取る
ことを特徴とする請求項１１〜１５の何れか１項に記載の移動通信システム。
【発明の詳細な説明】
【０００１】
【発明の属する技術分野】
本発明は、ＩＰネットワークを利用した移動通信装置及び移動通信装置対応ルータ装置に関する。
【０００２】
【従来の技術】
ＩＰネットワークは、それぞれ固有のネットワーク識別子を有しておりサブネットと呼ばれる小さなネットワークの集合である。移動通信に対応したサブネットには１つ以上の移動通信装置対応ルータが存在し、サブネット同士の接続及び該サブネットと移動通信装置との接続を可能にしている。従来の移動通信装置は、あるサブネットと繋がっている状態において、別のサブネットと繋がる位置に移動したとき、初めて該別のサブネットとの通信を開始するのに必要な資源（回線、アドレス等）や通信品質を維持するのに必要な資源の取得のため、該別のサブネットの移動通信装置対応ルータ装置とネゴシエーションを行うように構成されている。
【０００３】
【発明が解決しようとする課題】
しかし、移動先のサブネットのネットワーク資源に余裕がない場合、移動後にネゴシエーションを行っても必要な資源が得られず、通信品質が劣化したり、通信が途切れるという問題があった。
【０００４】
本発明は上記の問題に鑑みなされたものであり、ＩＰネットワークを利用した移動通信において、ハンドオーバの際にネットワーク資源を確実に取得できるようにし、それにより通話品質の劣化や通信の切断を防止することを目的とする。
【０００５】
【課題を解決するための手段】
上記目的を達成すべく、請求項１に記載の本発明の移動通信システムは、移動通信装置がネットワークを介して通信を行うことを可能にするために前記ネットワークと接続されるサブネットを有する複数の移動通信装置対応ルータ装置と、該各移動通信装置対応ルータ装置の前記サブネットを利用して通信を行う移動通信装置とから構成される移動通信システムにおいて、
前記移動通信装置は、
現在位置から目的地への移動に先立ち、目的地情報（前記目的地のアドレス及びサブネット情報を含む）と、現在位置情報（前記現在位置のアドレス及び接続中のサブネットを特定する情報）が入力される入力手段と、
入力された前記目的地情報と前記現在位置情報とから、予め登録されている前記サブネットの中から、前記現在位置から前記目的地に至る経路上にあり、ハンドオーバする可能性のある複数の前記サブネットのアドレスを予測する予測手段（経路情報データベース）と、
予測された前記サブネットのアドレスに基づき、これらのアドレスの前記サブネットの移動通信装置対応ルータに、前記移動通信装置とハンドオーバするためのアドレス及び帯域を含むネットワーク資源を予め予約するためのメッセージを送る出力手段（資源確保実行部）と
を備え、
前記予測されたアドレスのサブネットの前記移動通信装置対応ルータ装置は、前記移動通信装置からのメッセージを受信することにより、前記移動通信装置とハンドオーバするためのネットワーク資源を確保する
ことを特徴とする。
【０００６】
請求項２に記載の本発明の移動通信システムは、請求項１に記載の発明において、前記予測手段は、各前記サブネットのアドレス及び緯度・経度情報を格納したデータベースを有する
ことを特徴とする。
請求項３に記載の本発明の移動通信システムは、請求項２に記載の発明において、前記データベースは、更に各前記サブネットの通信方式と各通信方式が必要とする電波品質とを格納し、該データベースを参照することによりハンドオーバの開始のタイミング及び通信方式の切替えを制御する制御手段（通信方式／電波強度管理部）を備える
ことを特徴とする。
請求項４に記載の本発明の移動通信システムは、請求項３に記載の発明において、前記制御手段は、少なくとも受信電波の強度が現在の通信方式が必要とする値を下回ったときにハンドオーバを開始することを特徴とする。
請求項５に記載の本発明の移動通信システムは、請求項３に記載の発明において、前記制御手段は、ノイズのレベルまたは通信の瞬断の回数が所定値を超えたときにハンドオーバを開始することを特徴とする。
【０００７】
上記目的を達成すべく、請求項６に記載の本発明の移動通信装置は、移動通信装置対応ルータ装置を備えるサブネットを複数含んで構成されるネットワークを利用して通信を行う移動通信装置及び前記各移動通信装置対応ルータ装置から構成される移動通信システムにおける移動通信装置であって、
現在位置から目的地への移動に先立ち、目的地情報（前記目的地のアドレス及びサブネット情報を含む）と、現在位置情報（前記現在位置のアドレス及び接続中のサブネットを特定する情報）が入力される入力手段と、
入力された前記目的地情報と前記現在位置情報とから、予め登録されている前記サブネットの中から、前記現在位置から前記目的地に至る経路上にあり、ハンドオーバする可能性のある１つまたは複数の前記サブネットのアドレスを予測する予測手段（経路情報データベース）と、
予測された前記サブネットのアドレスに基づき、これらのアドレスの前記サブネットの移動通信装置対応ルータに、前記移動通信装置とハンドオーバするためのアドレス及び帯域を含むネットワーク資源を予め予約するためのメッセージを送る出力手段（資源確保実行部）と
を備え、
前記予測されたアドレスのサブネットの前記移動通信装置対応ルータ装置に、前記移動通信装置からのメッセージにより、前記移動通信装置とハンドオーバするためのネットワーク資源を確保させる
ことを特徴とする。
【０００８】
請求項７に記載の本発明の移動通信装置は、請求項６に記載の発明において、前記予測手段は、各前記サブネットのアドレス及び緯度・経度情報を格納したデータベースを有することを特徴とする。
請求項８に記載の本発明の移動通信装置は、請求項７に記載の発明において、前記データベースは、更に各前記サブネットの通信方式と各通信方式が必要とする電波品質とを格納し、該データベースを参照することによりハンドオーバの開始のタイミング及び通信方式の切替えを制御する制御手段（通信方式／電波強度管理部）を備えることを特徴とする。
請求項９に記載の本発明の移動通信装置は、請求項８に記載の発明において、前記制御手段は、少なくとも受信電波の強度が現在の通信方式が必要とする値を下回ったときにハンドオーバを開始することを特徴とする。
請求項１０に記載の本発明の移動通信装置は、請求項８に記載の発明において、前記制御手段は、ノイズのレベルまたは通信の瞬断の回数が所定値を超えたときにハンドオーバを開始することを特徴とする。
【０００９】
上記目的を達成すべく、請求項１１に記載の本発明の移動通信システムは、移動通信装置がネットワークを介して通信を行うことを可能にするために前記ネットワークと接続されるサブネットを有する複数の移動通信装置対応ルータ装置と、該各移動通信装置対応ルータ装置の前記サブネットを利用して通信を行う移動通信装置とから構成される移動通信システムにおいて、
前記移動通信装置は、
現在位置から目的地への移動に先立ち、目的地情報（前記目的地のアドレス及びサブネット情報を含む）と、現在位置情報（前記現在位置のアドレス及び接続中のサブネットを特定する情報）が入力され、ネットワークとの間でメッセージを送受信するネットワーク入出力手段と、
前記移動通信装置対応ルータ装置から経路情報を受け取ると、少なくとも前記現在位置情報及び受信電波の強度に基づいてハンドオーバを開始するタイミングを見計らい、ハンドオーバを開始すべきタイミングと判断した時点で経路情報を資源確保実行部に送って、ハンドオーバの実行を管理するハンドオーバ管理部と、
前記各移動通信装置対応ルータに、前記移動通信装置とハンドオーバするためのアドレス及び帯域を含むネットワーク資源を予め予約するために前記目的地情報と前記現在位置情報を送り、経路情報を受け取ると、アドレス及び帯域を含む資源確保を要求するメッセージを経路情報のリストに含まれる各ルータに送る出力手段（資源確保実行部）と
を備え、
前記移動通信装置対応ルータ装置は、
移動通信装置から、移動通信装置の前記目的地情報と前記現在位置情報が入力され、予測された複数のルータのアドレスを含む経路を、経路情報として出力する移動通信装置側入出力端子と、
受け取った前記目的地情報と及び前記現在位置情報から移動経路を予測し、前記目的地の方向に地理的に隣接する複数の他のルータのアドレスを含むルータのリストを、経路予測情報として移動通信装置に送る経路予測部と、
受け取った前記目的地情報に対応付けて、登録されている地理的に隣接するルータを経路予測部に通知する隣接ルータリスト保持部と
を備えことを特徴とする移動通信システム。
【００１０】
請求項１２に記載の本発明の移動通信システムは、請求項１１に記載の発明において、前記目的地情報は、少なくとも前記目的地の緯度・経度を示す場所情報であり、
入力された場所情報及び前記現在位置情報を、前記目的地のネットワークアドレスを示す目的地ネットワークアドレス情報及び前記現在地のネットワークアドレスを示す現在位置ネットワークアドレス情報にそれぞれ変換する目的地変換部を備え、
前記経路予測部は、受け取った目的地ネットワークアドレス情報及び現在位置ネットワークアドレス情報から移動経路を予測し、
前記隣接ルータリスト保持部は、登録されている地理的に隣接するルータを目的地ネットワークアドレス情報に対応付けることを特徴とする。
請求項１３に記載の本発明の移動通信システムは、請求項１１又は１２に記載の発明において、前記ネットワークとの間でメッセージを送受信するネットワーク側入出力端子を備え、
前記経路予測部は、前記目的地の方向に地理的に隣接する他のルータが隣接するルータのリストを有する場合には、該隣接ルータに対し、該隣接ルータの前記目的地方向に更に隣接するルータについての情報を送るよう要求することを特徴とする。
請求項１４に記載の本発明の移動通信システムは、請求項１１又は１２に記載の発明において、前記ネットワークとの間でメッセージを送受信するネットワーク側入出力端子を備え、
前記経路予測部は、前記目的地の方向に地理的に隣接する他のルータが経路を予測する機能を有する場合には、該隣接ルータに対し、該隣接ルータの前記目的地方向に更に隣接するルータについての情報を送るよう要求することを特徴とする。
【００１１】
請求項１５に記載の本発明の移動通信システムは、請求項１１又は１２に記載の発明において、前記経路予測部は、前記目的地の方向に地理的に隣接する他のルータが隣接するルータのリストを有するか、あるいは、経路を予測する機能を有する場合には、該隣接ルータに対し、該隣接ルータの前記目的地方向に更に隣接するルータについての情報を送るよう要求する処理を繰り返すことを特徴とする。
請求項１６に記載の本発明の移動通信システムは、請求項１１〜１５の何れか１項に記載の発明において、前記移動通信装置対応ルータ装置は、自らの前記サブネットに地理的に隣接する前記サブネットのルータ装置のアドレスのリストを格納したデータベースを有し、複数のルータのアドレスを含むルータのリストを出力する隣接ルータリスト保持部を備え、
前記経路予測部は、前記目的地ネットワークアドレス情報及び現在位置ネットワークアドレス情報により、前記隣接ルータリスト保持部から前記目的地の方向に地理的に隣接する複数の他のルータのアドレスを含むルータのリストを受け取ることを特徴とする。
【００１２】
【発明の実施の形態】
図１に本発明の第１の実施形態に係る移動通信装置の構成を示す。同図に示すように、この移動通信装置は入力端子１０１、目的地のアドレスを保存する目的地管理部１０２、現在位置に関する情報を保存する現在位置管理部１０３、ハンドオーバの実行を管理するハンドオーバ管理部１０４、サブネットの緯度経度情報・アドレス等が登録されている経路情報データベース部１０５、ハンドオーバ先のサブネットの資源確保を行う資源確保実行部１０６、出力端子１０７を含む。以下にこの装置の動作を説明する。
【００１３】
ユーザが目的地への移動に先立ち、入力端子１０１から目的地情報（目的地のアドレスやサブネット情報等）を入力すると、該情報は目的地管理部１０２に送られる（処理１０８Ｓ）。入力端子１０１にはまた、現在位置情報（現在位置のアドレスや接続中のサブネットを特定する情報）が随時ユーザや不図示のＧＰＳ受信装置等から入力され、該情報は現在位置管理部１０３に送られる（処理１０９Ｓ）。
目的地管理部１０２はハンドオーバ管理部１０４に目的地情報を送り（処理１１０）、現在位置管理部１０３はハンドオーバ管理部１０４に現在位置情報を送る（処理１１１Ｓ）。
【００１４】
ハンドオーバ管理部１０４は現在位置情報と目的地情報とを経路情報データベース１０５に送る（処理１１２Ｓ）。
【００１５】
経路情報データベース１０５は、現在位置情報と目的地情報とに基づき、予め登録されているサブネットの中から、現在位置から目的地に至る経路上にあり、ハンドオーバする可能性のある１つまたは複数のサブネットのアドレスをハンドオーバ管理部１０４に送る（処理１１３Ｓ）。
【００１６】
ハンドオーバ管理部１０４は、経路情報データベース１０５から送られたハンドオーバする可能性のある１つまたは複数のサブネットのアドレスを、資源確保実行部１０６に送る（処理１１４Ｓ）。
【００１７】
資源確保実行部１０６は、ハンドオーバ管理部１０４から送られたサブネットのアドレスに基づき、アドレスや帯域等のネットワーク資源を予め確保するため、ネットワークに接続された出力端子１０７を介し、これらのアドレスのサブネットの移動通信装置対応ルータにメッセージを送る（処理１１５Ｓ）。
【００１８】
以上の処理により、図２に示すように、ユーザが現在位置から目的地まで移動する際、その経路上にありハンドオーバが予測されるサブネットの資源が予約されるので、現在位置から目的地に移動する間、ハンドオーバの際の通信品質の劣化や通信の切断は起こらず、高品質の通信を維持することができる。
【００１９】
図３に本発明の第２の実施形態に係る移動通信装置の構成を示す。同図に示すように、この装置は入力端子２０１、目的地のアドレスを保存する目的地管理部２０２、現在位置に関する情報を保存する現在位置管理部２０３、ハンドオーバの実行を管理するハンドオーバ管理部２０４、サブネットの緯度経度情報・アドレス等が登録されている経路情報データベース部２０５、通信方式の切替え及びハンドオーバの開始を管理する通信方式／電波強度管理部２０６、ハンドオーバ先のサブネットの資源確保を行う資源確保実行部２０７、出力端子２０８を含む。
【００２０】
第２の実施形態は、通信方式／電波強度管理部が追加され、経路情報データベース部２０５が更に各サブネットの通信方式及び無線LAN、Buletooth等の各種通信方式が必要とする電波強度を格納している点で第１の実施形態と異なる。以下に第２の実施形態の装置の動作を説明する。
【００２１】
ユーザが目的地への移動に先立ち、入力端子２０１から目的地情報（目的地のアドレスやサブネットを特定する情報等）を入力すると、該情報は目的地管理部２０２に送られる（処理２０９Ｓ）。入力端子２０１にはまた、現在位置情報（現在位置のアドレスや接続中のサブネット情報、電波強度、通信方式）が随時ユーザや不図示のＧＰＳ受信装置等から入力され、該情報は現在位置管理部２０３に送られる（処理２１０Ｓ）。
【００２２】
目的地管理部２０２はハンドオーバ管理部２０４に目的地情報を送り（処理２１１）、現在位置管理部２０３はハンドオーバ管理部２０４に現在位置情報を送る（処理２１２Ｓ）。
ハンドオーバ管理部２０４は現在位置情報と目的地情報とを経路情報データベース２０５に送る（処理２１３Ｓ）。
【００２３】
経路情報データベース２０５は、現在位置情報と目的地情報とに基づき、予め登録されているサブネットの中から、現在位置から目的地に至る経路上にあり、ハンドオーバする可能性がある１つまたは複数のサブネットのアドレスをハンドオーバ管理部２０４に送る（処理２１４Ｓ）。
【００２４】
ハンドオーバ管理部２０４は随時、受信電波の強度、現在の通信方式、経路情報データベース２０５から通知されたハンドオーバの可能性があるサブネットの通信方式を随時、通信方式／電波強度管理部２０６に送る（処理２１５Ｓ）。
【００２５】
通信方式／電波強度管理部２０６は、受信電波の強度が現在の通信方式の所要電波強度以下になると、ハンドオーバ管理部２０４に対し、ハンドオーバの開始の準備を行うよう指示し、また必要に応じて通信方式の切替えの準備を行うよう指示する（処理２１６Ｓ）。
【００２６】
ハンドオーバ管理部２０４は、この指示を受け取ると、処理２１４Ｓで受け取ったハンドオーバの可能性がある１つまたは複数のサブネットのアドレスを資源確保実行部２０７に伝える。資源確保実行部２０７はこれに応答し、アドレスや帯域等の資源確保を要求するメッセージを出力端子２０７から送出し、ネットワークを介してこれらのサブネットの移動通信装置対応ルータに送る。
【００２７】
以上説明したように第２の実施形態の移動通信装置は、受信中の電波の強度が現在使用中の通信方式の所要電波強度を下回った時にはハンドオーバを行い、また、そのとき必要に応じて通信方式も変更するので、移動手段の電波の遮蔽特性に依らず、ユーザは電波強度の低下に伴う通信品質の低下を被ることなく現在地から目的地まで高品質の通信を維持することができる。
【００２８】
次に、本発明の第３の実施形態に係る移動通信装置対応ルータ及び移動通信装置について説明する。図４に第３の実施形態に係る移動通信装置対応ルータの構成を示し、図５に第３の実施形態に係る移動通信装置の構成を示す。
【００２９】
第３の実施形態に係る移動通信装置対応ルータは、移動通信装置との間でメッセージを送受信する移動通信装置側入出力端子３０１、目的地の地理的位置を対応のアドレスに変換する機能を有する目的地変換部３０２、目的地情報と現在位置情報とに基づき移動経路を予測する経路予測部３０３、自らのサブネットに地理的に隣接するサブネットのルータのリストを保持する隣接ルータリスト保持部３０４、ネットワークとの間でメッセージを送受信するネットワーク側入出力端子３０５を備える。
【００３０】
第３の実施形態に係る移動通信装置は、ネットワークとの間でメッセージを送受信するネットワーク入出力端子４０１、ハンドオーバの実行を管理するハンドオーバ管理部４０２、ハンドオーバ先のサブネットの資源確保を行う資源確保実行部４０３を備える。以下に、第３の実施形態の動作を説明する。
【００３１】
移動通信装置対応ルータにおいて、移動通信装置側入出力端子３０１から、移動通信装置の目的地の緯度・経度等を示す場所情報と移動通信装置の現在位置のアドレスや接続中のサブネット情報等の現在位置情報が入力されると、これらの情報は目的地変換部３０２に送られる（処理３０６Ｓ）。
【００３２】
目的地変換部３０２は、場所情報及び現在位置情報を、目的地のネットワークアドレスを示す目的地ネットワークアドレス情報及び現在のネットワークアドレスを示す現在位置ネットワークアドレス情報にそれぞれ変換し、経路予測部３０３に送る（処理３０７Ｓ）。
【００３３】
経路予測部３０３は、目的地ネットワークアドレス情報と現在位置ネットワークアドレス情報を受け取ると、目的地の方向に地理的に隣接する他のルータのアドレス等の情報を得るためにこの目的地ネットワークアドレス情報を隣接ルータリスト保持部３０４に送る（処理３０８Ｓ）。
【００３４】
隣接ルータリスト保持部３０４は、受け取った目的地ネットワークアドレス情報に対応付けて登録されている、地理的に隣接するルータを経路予測部３０３に通知する（処理３０９Ｓ）。
【００３５】
経路予測部３０３は、通知されたルータを移動経路上のルータと判断する。もし、このルータが上に説明した隣接ルータリスト保持機能や経路予測機能を有する移動通信装置対応ルータである場合には、この隣接ルータに更に隣接するルータを知るために、ネットワーク側入出力端子３０５から該隣接ルータにメッセージを送り、該隣接ルータに対し目的地方向に隣接するルータについての情報を送るよう要求する（処理３１０Ｓ）。
【００３６】
上記の処理により得られたルータのリストは、ネットワーク側入出力端子３０５を介し経路予測部３０３に入力される（処理３１１Ｓ）。経路予測部３０３は必要に応じて処理３１０及び処理３１１を繰り返し、複数のルータのアドレスを含む経路を予測し、経路情報として移動通信装置側入出力端子３０１を介して移動通信装置に送る（処理３１２Ｓ）。
【００３７】
この経路情報は、移動通信装置のネットワーク入出力端子４０１を介してハンドオーバ管理部４０２に入力される（処理４０４Ｓ）。ハンドオーバ管理部４０２は、経路情報を受け取ると、現在位置情報や受信電波の強度等に基づいてハンドオーバを開始するタイミングを見計らい、ハンドオーバを開始すべきタイミングと判断した時点で経路情報を資源確保実行部４０３に送る（処理４０５）。
【００３８】
資源確保実行部４０３は、経路情報を受け取ると、アドレスや帯域等の資源確保を要求するメッセージをネットワーク入出力端子４０１を介し、経路情報のリストに含まれる各ルータに送る（処理４０６Ｓ）。
【００３９】
以上説明したように、本発明の第３の実施形態においては、移動通信装置対応ルータが移動通信装置からその現在位置情報と目的地の場所情報とを受け取ると、隣接ルータリストを参照して移動経路を予測し、目的地方向に存在するルータのリストを作成し、該リストを移動通信装置に送る。移動通信装置は、必要に応じて該リストに含まれるルータにメッセージを送り、ハンドオーバのための資源を予約することができる。
【００４０】
第３の実施形態は、経路の予測は処理能力とネットワークスピードの乏しい移動通信装置ではなく、移動通信装置対応ルータで行うことにより処理が迅速に行われるという利点を有する。また、実際に予約を行うか否かは最終的に移動通信装置が判断するので、資源が無駄に確保されることを防止できるという利点もある。
【００４１】
第１の実施形態では、経路情報データベースを移動通信装置に設けたが、経路情報データベースをネットワーク側に設け、移動通信装置からの問い合わせに回答するようにしてもよい。
【００４２】
第３の実施形態では、目的地変換部、経路予測部、隣接ルータリスト保持部を移動通信装置対応ルータに持たせたが、移動通信装置側の負荷が増加しても支障がない場合にはこれらを移動通信装置に持たせてもよい。
【００４３】
また、第１及び第２の実施形態の移動通信装置は、目的地管理部、即ち、音声入力や手入力によるナビゲータへのユーザの設定を緯度経度のような座標情報に変換して目的地の場所情報として管理する部分と、現在位置管理部、即ち、ＧＰＳ受信装置のような高精度の入力により移動通信装置が位置する緯度・経度等を現在位置情報として管理する（ＧＰＳより精度の劣る位置情報システムの入力を用い、緯度・経度等の情報を修正しながら管理するようにしてもよい）部分とを有するが、これらは、外部からハンドオーバ管理部に正確な情報が入力されるのであれば不要である。
【００４４】
また、第１及び第２の実施形態と第３の実施形態とを組み合わせ、移動通信装置の持つ経路情報データベースを、移動通信装置対応ルータの経路予測に従って適宜更新するようにしてもよい。それにより、移動通信装置の持つ経路情報データベースを常に最新の内容に維持することができる。
【００４５】
尚、第２の実施形態の移動通信装置は通信方式／電波強度管理部を備えているが、電波強度ではなく電波品質（ノイズや通信の瞬断の回数）を管理し、電波品質に基づいてハンドオーバを行うようにしてもよい。それにより、受信電波の強度は大であるが受信電波の品質が悪い状態でも、通信品質を良好に維持することができる。
【００４６】
【発明の効果】
本発明によれば、ＩＰネットワークを利用した移動通信において、移動通信装置で設定された目的地の情報と現在位置の情報とから、現在地から目的地に至る移動経路を予測し、予測された移動経路上にある複数のサブネットの前記移動通信装置対応ルータ装置に、メッセージを送ることで前記移動通信装置とハンドオーバするためのアドレス及び帯域を含むネットワーク資源を予め予約するので、ハンドオーバの際のネットワーク資源の取得を確実にし、それにより通話品質の劣化や通信の切断を防止することができる。
【図面の簡単な説明】
【図１】  本発明の第１の実施形態に係る移動通信装置の構成を示す図である。
【図２】  ユーザが現在位置から目的地まで移動する際、その経路上にありハンドオーバが予測されるサブネットの資源が予約される状況を説明する図である。
【図３】  本発明の第２の実施形態に係る移動通信装置の構成を示す図である。
【図４】  本発明の第３の実施形態に係る移動通信装置対応ルータの構成を示す図である。
【図５】  本発明の第３の実施形態に係る移動通信装置の構成を示す図である。
【符号の説明】
１０１，２０１  入力端子、  １０２，２０２  目的地管理部、  １０３，２０３  現在位置管理部、  １０４，２０４，４０２  ハンドオーバ管理部、  １０５，２０５  経路情報データベース部、  １０６，２０７，４０３  資源確保実行部、  １０７，２０８  出力端子、  ２０６  通信方式／電波強度管理部、３０１  移動通信装置側入出力端子、  ３０２  目的地変換部、  ３０３  経路予測部、  ３０４  隣接ルータリスト保持部、  ３０５  ネットワーク側入出力端子、  ４０１  ネットワーク入出力端子。
【図１】
0003717463.tif 000002
【図２】
0003717463.tif 000003
【図３】
0003717463.tif 000004
【図４】
0003717463.tif 000005
【図５】
0003717463.tif 000006